(57)【要約】【課題】従来の面倒な安定器設置や施工時結線（配線）の手間、メンテナンス時の取り外し、再配線等の手間を抑制可能な、屋外用ＬＥＤ照明器具のために電源収納箱を提供する。【解決手段】電源収納箱は、屋外に設置されるＬＥＤ照明器具のためのＬＥＤ用電源装置を収納し、前記ＬＥＤ用電源装置と前記ＬＥＤ照明器具とが配線されるための配線部を有する。電源収納箱は、一次側電源ケーブルと前記ＬＥＤ用電源装置との間に介在される端子台をさらに収納する。また、電源収納箱は、複数のＬＥＤ用電源装置を収納可能である。【選択図】図３
2012238557.tif 000002
【特許請求の範囲】
【請求項１】
屋外に設置されるＬＥＤ照明器具のためのＬＥＤ用電源装置を収納し、前記ＬＥＤ用電源装置と前記ＬＥＤ照明器具とが配線されるための配線部を有する電源収納箱。
【請求項２】
前記電源収納箱は、複数のＬＥＤ用電源装置を収納する請求項１に記載の電源収納箱。
【発明の詳細な説明】
【技術分野】
【０００１】
本発明は、屋外に設置されるための屋外用ＬＥＤ照明器具のための電源収納箱に関する。
【背景技術】
【０００２】
従来、屋外照明器具では、主に高圧水銀ランプ、高圧ナトリウムランプ、メタルハライドランプ等のＨＩＤ光源が用いられている。これらのＨＩＤ光源では、点灯制御に安定器を用いている。照明器具は、地面に設置されたポールの上部に取り付けられ、安定器は、ポールの内部に取り付けられ、照明器具と安定器はポール内部に配線された電線等で結線される（例えば、下記特許文献１参照）。
【０００３】
また、図４に示すように、一方端子で電源ケーブル４１と接続され、他方端子で安定器４４と接続される配線遮断器４２を収納するジョイントボックス４０がポール４９内部に設置される。このジョイントボックス４０を使用して、現地施工時において電気工事業者が、ジョイントボックス４０内で、電源ケーブル４１の一次側入力電線と２次側配線（安定器４４、照明機器４６）とを結線する作業を行っている。このジョイントボックス４０は、ポール４９の着脱自在の開口蓋４９１を開けることで取り付け可能になっている。また、開口蓋４９１を開けて、安定器４４を安定器フック４９２に引っ掛けて取り付ける構造になっている。図４において、電源ケーブル４１が配線遮断器４２に接続され、配線遮断器４２は配線４３によって安定器４４と接続され、安定器４４は配線４５によって照明器具４６と接続されている。
【先行技術文献】
【特許文献】
【０００４】
【特許文献１】実用新案登録公報第２５７２６７５号
【発明の概要】
【発明が解決しようとする課題】
【０００５】
図４のように、ポール内部に安定器４４とジョイントボックス４０を取り付け、それぞれの結線作業することは大変手間がかかるものであり、施工側の負担が大きいものであった。さらに、ポールに複数の照明器具を取り付ける場合には、安定器もそれに応じて複数個必要になるため、施工側の負担もさらに大きくなる。
【０００６】
また、図４に示すように、ポール４９の開口部の開口サイズは、予め定められた規格に基づいており、ジョイントボックス４０を開口部正面に取り付けた場合に、安定器４４は、ジョイントボックス４０の上下位置に設置されることになる。このように配置上の制限があるため、照明器具や安定器、配線遮断器等を定期的にメンテナンスする際には、まず各配線を取り外し、ジョイントボックス４０を取り外し、最後に安定器４４を取り外す必要があり、メンテナンス作業も大変面倒となっていた。
【０００７】
また、従来の屋外照明装置は、各種機器の寄せ集めであって、照明器具の仕様に応じて安定器や配線遮断器の仕様も異なっているため、現場施工時に各機器をポールに設置する方がよいと判断されていたため、予め専用の配線回路を組み込むようにしていなかった。
【０００８】
本発明は上記実情に鑑みてなされたものであり、その課題は、従来の照明器具に替わりＬＥＤ照明器具を用いて、ジョイントボックス内にＬＥＤ用電源装置を予め組み込んでおくことで、従来の面倒な安定器設置や施工時結線（配線）の手間、メンテナンス時の取り外し、再配線等の手間を抑制できる屋外用ＬＥＤ照明器具のための電源収納箱を提供することである。
【課題を解決するための手段】
【０００９】
上記課題を解決するため本発明に係る電源収納箱は、屋外に設置されるＬＥＤ照明器具のためのＬＥＤ用電源装置を収納し、前記ＬＥＤ用電源装置と前記ＬＥＤ照明器具とが配線されるための配線部を有する。
【００１０】
この構成によって、従来の照明器具に替わりＬＥＤ照明器具を用い、ジョイントボックス機能である電源収納箱内にＬＥＤ用電源装置を予め組み込んでおくことで、従来の面倒な安定器設置や施工時結線（配線）の手間、メンテナンス時の取り外し、再配線等の手間を飛躍的に抑制できる。
【００１１】
また、本発明において、前記電源収納箱は、一次側電源ケーブルと前記ＬＥＤ用電源装置との間に介在される配線遮断器をさらに収納することが好ましい。また、前記電源収納箱は、複数のＬＥＤ用電源装置を収納することが好ましい。これによって、単一の電源収納箱内に複数のＬＥＤ用電源装置を収納できるため、結線作業も簡単に行える。また、電源収納箱内の配線部は、ＬＥＤ用電源装置の入力端子及び出力端子と結線するためのものであればよく、特に制限されない。配線部として、一次側電源ケーブルと電気的に接続するための、かつＬＥＤ照明器具と電気的に接続するための端子台を有し、結線作業をさらに簡単に行えるようにすることが好ましい。端子台は、複数の電気配線用端子を有している。
【００１２】
また、本発明において、前記ＬＥＤ照明器具は、中空状ポールに取り付けられ、前記電源収納箱は、前記ＬＥＤ照明器具から離れた位置の前記ポール内部に着脱自在に設置されることが好ましい。
【００１３】
また、本発明の電源収納箱は、屋外用ＬＥＤ照明装置に好適に用いられる。この屋外用ＬＥＤ照明装置は、屋外に設置されるＬＥＤ照明器具と、前記ＬＥＤ照明器具のためのＬＥＤ用電源装置と、前記ＬＥＤ用電源装置を収納する電源収納箱を有し、電源収納箱は、一次側電源ケーブルと前記ＬＥＤ用電源装置とが配線され、かつ前記ＬＥＤ用電源装置と前記ＬＥＤ照明器具とが配線されるための配線部とを有する。
【図面の簡単な説明】
【００１４】
【図１】屋外用ＬＥＤ照明装置の外観の一例を示す図
【図２】屋外用ＬＥＤ照明装置の各部結線状態の一例を示す図
【図３】電源収納箱の一例を示す図
【図４】従来の照明装置の各部結線状態を示す図
【発明を実施するための形態】
【００１５】
本発明に係る屋外用ＬＥＤ照明装置の好適な実施形態を図面を用いて説明する。図１は屋外用ＬＥＤ照明装置１の外観を示す。図1（ａ）の屋外用ＬＥＤ照明装置１は、地面に立設されたポール１０と、ポール１０の上部に取付部１２で取り付けられたＬＥＤ照明器具２０を示す。ポール１０は、中空の鋼鉄製であり、照明器具２０の取付位置近傍に電線３５が通じる開口部（不図示）を有し、さらに、電源収納箱３０が設置される位置に開口部１１１およびそれを覆う開口蓋１１を有する。また、ポール１０は、一次側の電源ケーブル３４が通じる開口部（不図示）を有している。なお、図１（ｂ）の屋外用ＬＥＤ照明装置１は、ポール１０の先端開口部分がＬＥＤ照明器具２０の底開口部に挿入されてポール１０にＬＥＤ照明器具２０が取り付けられている一例を示している。
【００１６】
図２は、屋外用ＬＥＤ照明装置１の各部の配線状態を示す。図２において、ポール１０の開口部１１１は、開口蓋１１によって開閉可能になっている。図２において、開口蓋１１は、その上下位置のボルトによってポール１０に着脱自在に取り付けられている。また、図２において、電源収納箱３０は、ポール１０の開口部１１１の正面下位置のポール内壁面に着脱自在に取り付けられている。ここでは、ボルトとナットによって着脱自在に取り付けているが、この取り付け方法に制限されない。
【００１７】
図３に電源収納箱３０の内部構成を示す。電源収納箱３０は、その内部に２つのＬＥＤ用電源装置３１、３２をネジ止めして組み込んでいる。また、電源収納箱３０は、その内部に配線遮断器３３と端子台３７をネジ止めして組み込んでいる。さらに、図２に示すように、ＬＥＤ用電源装置３１、３２のそれぞれの入力端子と配線遮断器３３の出力端子とが予め結線されており、施工現場で結線する必要がないようになっている。また、配線遮断器３３の入力端子とＬＥＤ用電源装置３１、３２の出力端子とは、予め端子台３７の所定の端子に結線されている。これら結線状態が本実施形態における配線部を構成している。
【００１８】
現場施工時において、端子台３７の所定端子と一次側電源ケーブル３４が結線される。また、ＬＥＤ照明器具２０は、ＬＥＤ用電源装置３１の出力端子と結線されるが、ここでは、その出力端子と結線された端子台３７の所定の端子を介して電線３５によって結線される。なお、別のＬＥＤ照明器具がさらに設置される場合には、このＬＥＤ照明器具とＬＥＤ用電源装置３２の出力端子（端子台３７の所定の端子を介して）とが電線３６によって結線されることになる。なお、図２においてＥはアース接地を意味する。
【００１９】
以上の実施形態では、施工時において、ＬＥＤ用電源装置３１、３２が予め組み込まれた電源収納箱３０をポール１０の開口蓋１１を開けてポール内部に簡単に設置できるようになり、かつ、電源収納箱３０の端子台３７の所定端子に電源ケーブル３４や電線３５等を簡単に結線できるようになり、部品点数の削減、施工作業の軽減、ひいては全体的な装置コスト、施工コストの大幅な軽減を図ることができる。さらに、メンテナンス時においても、電源収納箱３０を取り外して（あるいは取り外すことなく）ＬＥＤ用電源装置等を交換、清掃等するだけでよくなり、メンテナンス作業の軽減、メンテナンスコストを大幅に低減できる。
【００２０】
＜別実施形態＞
上記実施形態において、電源収納箱３０は、ＬＥＤ用電源装置を２つ予め収納していたが、これに制限されず、ＬＥＤ用電源装置を１つ収納していてもよく、３つ以上収納していてよい。また、必要に応じて、ＬＥＤ用電源装置を後から追加設置（取り付け）できるように構成されていてもよい。
【００２１】
また、電源収納箱３０に、配線遮断器３３を組み込んであったが、これに制限されず、配線遮断器３３が組み込まれていなくてもよい。また、配線遮断器３３は、特定の遮断機に制限されず、例えば、ＯＮ／ＯＦＦが切り替え自在な各種スイッチでもよく、電力ヒューズでもあってもよい。
【００２２】
また、電源収納箱３０に、他の機器を収納してあってもよく、他の機器として、例えば、各種センサー（例えば、明暗センサー、人感センサー等）、タイマー、情報処理装置等が挙げられる。
【００２３】
また、配線部に端子台３７を有する構成に限定されず、端子台３７を有しない配線部を構成でき、例えば、配線遮断器３３の入力端子またはＬＥＤ用電源装置３１の入力端子に電源ケーブルを直接結線してもよく、ＬＥＤ用電源装置３１の出力端子にＬＥＤ照明器具２０の電線を直接結線してもよい。また、配線部として、ＬＥＤ用電源装置３１の入力端子と配線遮断器３３の出力端子が結線されていてもよい。
【００２４】
また、ＬＥＤ照明器具２０は、特に制限されず、いずれの器具も使用できる。例えば、ＬＥＤ照明器具は、ＬＥＤと反射面を有するＬＥＤユニットを複数備え、周辺領域に照射光を照射するように前記反射面が設定され、前記ＬＥＤユニットからの照明光を下方領域に反射させるための反射体を備えたものが好ましい。
【００２５】
また、ポール１０は、新しいポールを設置する場合に限定されず、従来のポールをそのまま使用することができる。従来のポールに設置されていたジョイントボックスに替わり、本発明の電源収納箱を取り付けることができる。また、ポール１０は、本実施形態のものに制限されない。また、中空のポール内部に電源収納箱を設置せずに、ポールの外側に設置することができる。また、中空のポール内部に導線を配線せずに、ポール外部に配線することもできる。
【００２６】
また、ＬＥＤ照明器具２０および電源収納箱３０は、ポール１０に設置されるものに制限されず、他の柱上、建物等に取り付けることもできる。取付部１２は、照明器具本体（筺体）をポール１０に取り付けるものであれば特に制限されず、例えば、バンド等が挙げられる。また、取付部１２を用いずにポール１０の照明器具取付部分にＬＥＤ照明器具がネジ込み式、嵌合式等で取り付けられるように構成することもでき、取り付け方法は制限されない。また、開口蓋１１は、開口部１１１を開閉可能にする着脱自在の取付部（例えば、ネジ式、嵌め込み式等）を有していてもよい。
【符号の説明】
【００２７】
１        屋外用ＬＥＤ照明装置
１０      ポール
１１      開口蓋
１１１    開口部
２０      ＬＥＤ照明器具
３０      電源収納箱
３１、３２  ＬＥＤ用電源装置
３３      配線遮断器
３４      電源ケーブル
３５、３６  導線
３７      端子台
【図１】
2012238557.tif 000003
【図２】
2012238557.tif 000004
【図３】
2012238557.tif 000005
【図４】
2012238557.tif 000006